(57)【要約】      （修正有）【課題】耐久性と作業性の双方の改善を図った位置指示部材を有するワイヤハーネス用作業台を提供する。【解決手段】ワイヤハーネス用作業台１は、第１の支持部材６と第２の支持部材７に支持された長手形状のワイヤハーネス２の下に位置し、テープ３の上にマーキングテープ４の位置を示す位置指示部材８とを備え、位置指示部材８は、ワイヤハーネス２の長手方向を横断する方向に回動すると共に、先端がマーキングテープ４の位置を示す位置指示となる回動部８１と、この回動部８１を回動自在に支持すると共に、基台５に取り付けられた支持部８２と、この支持部８２に対向する回動部８１の下部に取り付けられた磁石８３と、この磁石８３の対向する支持部８２の部位は磁性体８４で形成され、支持部８２の部位の磁性体８４と磁石８３とは、離間しているものである。【選択図】図１
0003132770.tif 000002
【実用新案登録請求の範囲】
【請求項１】
長手形状のワイヤハーネスを構成する電線群を所定幅で巻き付けたテープの上に前記所定幅より狭い幅でマーキングテープを巻き付けるワイヤハーネス用作業台であって、
基台と、
この基台に取り付けられ、前記長手形状のワイヤハーネスを支持する第１の支持部材と、
この第１の支持部材に離間すると共に、前記基台に取り付けられ、前記長手形状のワイヤハーネスを支持する第２の支持部材と、
正面視、前記第１の支持部材と前記第２の支持部材との間に位置すると共に、前記第１の支持部材と前記第２の支持部材に支持された前記長手形状のワイヤハーネスの下に位置し、前記テープの上に前記マーキングテープの位置を示す位置指示部材とを備え、
前記位置指示部材は、前記ワイヤハーネスの長手方向を横断する方向に回動すると共に、先端が前記マーキングテープの位置を示す位置指示となる回動部と、この回動部を回動自在に支持すると共に、前記基台に取り付けられた支持部と、この支持部に対向する前記回動部の下部に取り付けられた磁石と、この磁石の対向する前記支持部の部位は磁性体で形成され、前記支持部の部位の前記磁性体と前記磁石とは、離間している
ことを特徴とするワイヤハーネス用作業台。
【請求項２】
長手形状のワイヤハーネスを構成する電線群を所定幅で巻き付けたテープの上に前記所定幅より狭い幅でマーキングテープを巻き付けるワイヤハーネス用作業台であって、
基台と、
この基台に取り付けられ、前記長手形状のワイヤハーネスを支持する第１の支持部材と、
この第１の支持部材に離間すると共に、前記基台に取り付けられ、前記長手形状のワイヤハーネスを支持する第２の支持部材と、
正面視、前記第１の支持部材と前記第２の支持部材との間に位置すると共に、前記第１の支持部材と前記第２の支持部材に支持された前記長手形状のワイヤハーネスの下に位置し、前記テープの上に前記マーキングテープの位置を示す位置指示部材とを備え、
前記位置指示部材は、前記ワイヤハーネスの長手方向を横断する方向に回動すると共に、先端が前記マーキングテープの位置を示す位置指示となる回動部と、この回動部を回動自在に支持すると共に、前記基台に取り付けられた支持部と、この支持部に対向する前記回動部の下部に取り付けられた磁性体と、この磁性体の対向する前記支持部の部位は磁石で形成され、前記支持部の部位の前記磁石と前記磁性体とは、離間している
ことを特徴とするワイヤハーネス用作業台。
【請求項３】
第１の支持部材は、長手形状のワイヤハーネスを案内保持するＵ字状の第１の受け部と、この第１の受け部を支持すると共に、基台に取り付けられる第１の支柱部とを有し、    第２の支持部材は、前記長手形状のワイヤハーネスを案内保持するＵ字状の第２の受け部と、この第２の受け部を支持すると共に、前記基台に取り付けられる第２の支柱部とを有している
ことを特徴とする請求項１又は、請求項２記載のワイヤハーネス用作業台。
【考案の詳細な説明】
【技術分野】
【０００１】
本考案は、ワイヤハーネス用作業台に係り、特に、耐久性と作業性の双方の改善を図った位置指示部材を有するワイヤハーネス用作業台に関する。
【背景技術】
【０００２】
従来、長手形状のワイヤハーネスを構成する電線群を所定幅で巻き付けたテープの上に前記所定幅より狭い幅でマーキングテープを巻き付けるためのワイヤハーネス用作業台がある。
【０００３】
このワイヤハーネス用作業台は、長手形状のワイヤハーネスを第１の支持部材と第２の支持部材に支持された前記長手形状のワイヤハーネスの下に、前記テープの上に前記マーキングテープの位置を示す位置指示部材が位置している。
この位置指示部材は、第１の支持部材と第２の支持部材とに支持された長手形状のワイヤハーネスにテープを手作業で巻き付ける際、手又はテープが位置指示部材に接触しないように、位置指示部材を折曲自在に構成し、テープを手作業で巻き付ける場合、位置指示部材を倒し、長手形状のワイヤハーネスを構成する電線群を所定幅で巻き付けたテープの上に前記所定幅より狭い幅でマーキングテープを巻き付ける場合、位置指示部材を起こすようにしたものがある。
これは、耐久性はあるものの、位置指示部材を倒したり起こす作業を伴うため、作業性が良好でないという問題点が生じた。
【０００４】
これを改善するものとして、位置指示部材を「下部を固定すると共に、先端で位置を示す薄肉のゴム」で構成し、第１の支持部材と第２の支持部材とに支持された長手形状のワイヤハーネスにテープを手作業で巻き付ける際、手又はテープが位置指示部材のゴムに接触するが、薄肉の直方体形状のゴムは容易に回動し、手作業の妨げとならない。
しかし、使用によりゴムの先端が摩耗して損傷し、位置指示機能が低下するという問題点が生じた。
【考案の開示】
【考案が解決しようとする課題】
【０００５】
本考案は、前記した問題点を除去するように、耐久性と作業性の双方の改善を図った位置指示部材を有するワイヤハーネス用作業台を提供することを目的としている。
【課題を解決するための手段】
【０００６】
前記した目的を達成するための本考案のワイヤハーネス用作業台は、長手形状のワイヤハーネスを構成する電線群を所定幅で巻き付けたテープの上に前記所定幅より狭い幅でマーキングテープを巻き付けるワイヤハーネス用作業台であって、基台と、この基台に取り付けられ、前記長手形状のワイヤハーネスを支持する第１の支持部材と、この第１の支持部材に離間すると共に、前記基台に取り付けられ、前記長手形状のワイヤハーネスを支持する第２の支持部材と、正面視、前記第１の支持部材と前記第２の支持部材との間に位置すると共に、前記第１の支持部材と前記第２の支持部材に支持された前記長手形状のワイヤハーネスの下に位置し、前記テープの上に前記マーキングテープの位置を示す位置指示部材とを備え、前記位置指示部材は、前記ワイヤハーネスの長手方向を横断する方向に回動すると共に、先端が前記マーキングテープの位置を示す位置指示となる回動部と、この回動部を回動自在に支持すると共に、前記基台に取り付けられた支持部と、この支持部に対向する前記回動部の下部に取り付けられた磁石と、この磁石の対向する前記支持部の部位は磁性体で形成され、前記支持部の部位の前記磁性体と前記磁石とは、離間しているものである。
【０００７】
また、請求項２記載のワイヤハーネス用作業台は、長手形状のワイヤハーネスを構成する電線群を所定幅で巻き付けたテープの上に前記所定幅より狭い幅でマーキングテープを巻き付けるワイヤハーネス用作業台であって、基台と、この基台に取り付けられ、前記長手形状のワイヤハーネスを支持する第１の支持部材と、この第１の支持部材に離間すると共に、前記基台に取り付けられ、前記長手形状のワイヤハーネスを支持する第２の支持部材と、正面視、前記第１の支持部材と前記第２の支持部材との間に位置すると共に、前記第１の支持部材と前記第２の支持部材に支持された前記長手形状のワイヤハーネスの下に位置し、前記テープの上に前記マーキングテープの位置を示す位置指示部材とを備え、前記位置指示部材は、前記ワイヤハーネスの長手方向を横断する方向に回動すると共に、先端が前記マーキングテープの位置を示す位置指示となる回動部と、この回動部を回動自在に支持すると共に、前記基台に取り付けられた支持部と、この支持部に対向する前記回動部の下部に取り付けられた磁性体と、この磁性体の対向する前記支持部の部位は磁石で形成され、前記支持部の部位の前記磁石と前記磁性体とは、離間しているものである。
【０００８】
また、請求項３記載のワイヤハーネス用作業台は、請求項１又は請求項２記載のワイヤハーネス用作業台において、第１の支持部材は、長手形状のワイヤハーネスを案内保持するＵ字状の第１の受け部と、この第１の受け部を支持すると共に、基台に取り付けられる第１の支柱部とを有し、第２の支持部材は、前記長手形状のワイヤハーネスを案内保持するＵ字状の第２の受け部と、この第２の受け部を支持すると共に、前記基台に取り付けられる第２の支柱部とを有しているものである。
【考案の効果】
【０００９】
請求項１記載のワイヤハーネス用作業台によれば、第１の支持部材と第２の支持部材とに支持された長手形状のワイヤハーネスにテープを手作業で巻き付ける際、手又はテープが位置指示部材に接触するが、回動部は容易に回動し、手作業の妨げとならず、
しかも、回動部の下部に取り付けられた「磁石」と、この磁石の対向する支持部の部位の「磁性体」とは離間、つまり、非接触であるため、回動部の摩耗をも防ぐことができる。
【００１０】
また、請求項２記載のワイヤハーネス用作業台によれば、第１の支持部材と第２の支持部材とに支持された長手形状のワイヤハーネスにテープを手作業で巻き付ける際、手又はテープが位置指示部材に接触するが、回動部は容易に回動し、手作業の妨げとならず、しかも、回動部の下部に取り付けられた「磁性体」と、この磁性体の対向する支持部の部位の「磁石」とは離間、つまり、非接触であるため、回動部の摩耗をも防ぐことができる。
【考案を実施するための最良の形態】
【００１１】
本考案の一実施例であるワイヤハーネス用作業台を図面を参照して説明する。
図１乃至図６において、１は、長手形状のワイヤハーネス２を構成する電線群を所定幅で巻き付けたテープ３の上に前記所定幅（寸法Ｌ）より狭い幅（寸法Ｓ）でマーキングテープ４を巻き付けるワイヤハーネス用作業台である。
【００１２】
このワイヤハーネス用作業台１は、基台５と、この基台５に取り付けられ、長手形状のワイヤハーネス２を支持する第１の支持部材６と、この第１の支持部材６に離間すると共に、基台５に取り付けられ、長手形状のワイヤハーネス２を支持する第２の支持部材７と、正面視、第１の支持部材６と第２の支持部材７との間に位置すると共に、第１の支持部材６と第２の支持部材７に支持された長手形状のワイヤハーネス２の下に位置し、テープ３の上にマーキングテープ４の位置を示す位置指示部材８とを備えている。
【００１３】
第１の支持部材６は、長手形状のワイヤハーネス２を案内保持するＵ字状の第１の受け部６１と、この第１の受け部６１を支持すると共に、基台５に取り付けられる第１の支柱部６２とを有している。
また、第２の支持部材７は、長手形状のワイヤハーネス２を案内保持するＵ字状の第２の受け部７１と、この第２の受け部７１を支持すると共に、基台５に取り付けられる第２の支柱部７２とを有している。
【００１４】
また、位置指示部材８は、ワイヤハーネス２の長手方向を横断する方向に回動すると共に、先端８１ａがマーキングテープ４の位置を示す位置指示（目印）となる回動部８１と、この回動部８１を回動自在に支持すると共に、基台５に取り付けられた支持部８２と、回動部８１の下部に取り付けられた磁石８３と、この磁石８３の対向する支持部８２の部位は磁性体８４で形成され、支持部８２の部位の磁性体８４と磁石８３とは、離間している。
【００１５】
従って、上述したワイヤハーネス用作業台１によれば、先ず、長手形状のワイヤハーネス２を第１の支持部材６、第２の支持部材７により支持し（図４参照）、第１の支持部材６と第２の支持部材７とに支持された長手形状のワイヤハーネス２にテープ３を手作業で所定幅（寸法Ｌ）巻き付ける（図５参照）。
その際、手又はテープ２が位置指示部材８の回動部８１に接触するが、回動部８１はワイヤハーネス２の長手方向を横断する方向に回動自在に支持されているため、回動部８１は容易に回動し（図３参照）、手作業の妨げとならず、しかも、回動部８１の下部に取り付けられた「磁石８３」と、この磁石８３の対向する支持部８２の部位の「磁性体８４」とは離間、つまり、非接触であるため、回動部８１の摩耗をも防ぐことができる。
【００１６】
次に、位置指示部材８の回動部８１の先端８１ａを目印として、例えば、該目印は、図６に示すように、先端８１ａの幅寸法Ｌに従って、長手形状のワイヤハーネス２を構成する電線群を所定幅（寸法Ｌ）で巻き付けたテープ３の上に所定幅Ｌより狭い幅（寸法Ｓ）でマーキングテープ４を予め決められた位置に巻き付けていく。
【００１７】
なお、目印は、図６記載のものに限らず、例えば、図７記載のように、マーキングテープ４の先端を位置指示部材８の回動部８１の先端８１ａの後端部でも良く、また、図８記載のように、マーキングテープ４の後端を位置指示部材８の回動部８１の先端８１ａの前端部でも良い。
【００１８】
また、上述した実施例においては、磁石８３を回動部８１の下部に取り付け、この磁石８３の対向する支持部８２の部位を磁性体８４で形成したが、図示しないが、逆に、回動部８２の下部に磁性体を取り付け、この磁性体の対向する支持部８２の部位を磁石で形成して、支持部８２の部位の前記磁石と前記磁性体とを離間させるようにしても良い。
【図面の簡単な説明】
【００１９】
【図１】図１は、本考案の一実施例のワイヤハーネス用作業台の概略的斜視図である。
【図２】図２は、図１の位置指示部材の概略的正面図である。
【図３】図３は、図２の３−３による概略的断面図である。
【図４】図４は作業工程の概略的正面図で、長手形状のワイヤハーネスが第１の支持部材と第２の支持部材で支持されている状態を示している。
【図５】図５は、図４の作業工程の後の作業工程の概略的正面図で、長手形状のワイヤハーネスを構成する電線群を所定幅のテープで巻き付けた状態を示している。
【図６】図６は、図５の作業工程の後の作業工程の概略的正面図で、手形状のワイヤハーネスを構成する電線群を所定幅で巻き付けたテープの上に前記所定幅より狭い幅のマーキングテープを巻き付けた状態を示している。
【図７】図７は、図６の位置指示部材の位置が異なる他の実施例の概略的正面図である。
【図８】図８は、図７の位置指示部材の位置が異なる他の実施例の概略的正面図である。
【符号の説明】
【００２０】
１    …ワイヤハーネス用作業台
２    …ワイヤハーネス
３    …テープ
４    …マーキングテープ
６    …第１の支持部材
７    …第２の支持部材
８    …位置指示部材
８１  …回動部
８２  …支持部
８３  …磁石
８４  …磁性体
【図１】
0003132770.tif 000003
【図２】
0003132770.tif 000004
【図３】
0003132770.tif 000005
【図４】
0003132770.tif 000006
【図５】
0003132770.tif 000007
【図６】
0003132770.tif 000008
【図７】
0003132770.tif 000009
【図８】
0003132770.tif 000010